(57)【特許請求の範囲】
【請求項１】
ワイパーディスペンサー用アタッチメントであって、
ポップアップ式に取り出せるように交互に折り畳まれて積層されたウェットワイパーの積層体を収納する収納部と、
前記収納部の上端開口を開閉可能な第１の蓋体と第２の蓋体とを備え、
前記第１の蓋体は、その中央部に凹部を有しており、
取り出し口が、前記凹部の底面に設けられた、
箱状のディスペンサー本体が設けられ、
前記ディスペンサー本体の取り出し口と前記積層体の間に、ＪＩＳ  Ｋ７１７１によって評価される、７００ＭＰａ以上１０００ＭＰａ以下の曲げ弾性率を有するアタッチメント本体が配置され、
前記ウェットワイパーが通過可能なワイパー通過部が、前記アタッチメント本体の平面視で直線状の溝が交差して十字状に形成され、前記ワイパー通過部が、２．５ｃｍ２以上６．０ｃｍ２以下の開口面積を有することを特徴とするワイパーディスペンサー用アタッチメント。
【請求項２】
前記アタッチメント本体が、１．０ｍｍ以上１．３ｍｍ以下の厚みを有することを特徴とする請求項１から４のいずれか１項に記載のワイパーディスペンサー用アタッチメント。
【請求項３】
前記アタッチメント本体が、前記ワイパー通過部が前記取り出し口に合わさるように、前記ディスペンサー本体の内面に取り付けられることを特徴とする請求項１から４のいずれか１項に記載のワイパーディスペンサー用アタッチメント。
【請求項４】
前記アタッチメント本体が、前記ディスペンサー本体の内面積未満の面積を有し、前記積層体に載置されることを特徴とする請求項１から３のいずれか１項に記載のワイパーディスペンサー用アタッチメント。
【請求項５】
請求項１〜４のいずれか1項に記載されたワイパーディスペンサー用アタッチメントを備えることを特徴とする箱型ワイパーディスペンサー。
【発明の詳細な説明】
【技術分野】
【０００１】
本発明は、ワイパーディスペンサー用アタッチメント及びワイパーディスペンサーに関する。
【背景技術】
【０００２】
従来、不織布で形成されるワイパーに関し、各種の技術が提案されている（例えば、特許文献１参照）。
【０００３】
特許文献１には、不織布で形成されるワイパーと、このワイパーを収納する収納箱とを備えるワイパー包装体が開示される。ワイパーは、収納箱において交互に重ねられ、ポップアップ式に折り畳まれて積層される。このワイパー包装体では、ポップアップ式に折り畳まれた積層体からワイパーを収納箱の取り出し口を通じて一枚ずつ取り出すことができる。
【０００４】
ところで、ワイパーの収納には、環境負荷低減や利便性向上の観点から、紙製やフィルム製の収納体の代わりに、剛性があり繰り返し使用可能なワイパーディスペンサーを使用する場合がある。また、衛生性向上の観点から、不織布に薬液を含浸させたウェットワイパーを使用する機会も増えている。このため、近年、ウェットワイパーを収納できるワイパーディスペンサーが要望されている。
【０００５】
しかしながら、ウェットワイパーは、その表面が滑らかなため、表面張力によりウェットワイパーの表面同士が密着してしまい、ウェットワイパーを取り出し口から取り出す際、２枚のウェットワイパーが繋がった状態で、取り出されてしまう問題があった。
【先行技術文献】
【特許文献】
【０００６】
【特許文献１】特許５５９８８８１号公報
【発明の概要】
【発明が解決しようとする課題】
【０００７】
本発明は、このような事情に鑑みてなされたものであり、ワイパーディスペンサーの取り出し口からウェットワイパーを一枚ずつ分離して取り出すことができるワイパーディスペンサー用アタッチメント及びワイパーディスペンサーを提供することを目的とする。
【課題を解決するための手段】
【０００８】
上記課題を解決するために、本発明は、以下の構成によって把握される。
（１）本発明は、ワイパーディスペンサー用アタッチメントであって、ポップアップ式に取り出せるように交互に折り畳まれて積層されたウェットワイパーの積層体を収納するディスペンサー本体に設けられ、前記ディスペンサー本体の取り出し口と前記積層体の間に配置されるアタッチメント本体と、前記ウェットワイパーが通過可能な切欠き又は貫通穴によって前記アタッチメント本体に形成され、前記取り出し口の開口面積よりも小さい開口面積を有するワイパー通過部と、を備えることを特徴とする。
【０００９】
（２）本発明は、（１）の構成において、前記ウェットワイパーが、不織布で形成される基材シートと、前記基材シートに含浸され、アルコール濃度が４０ｖ／ｖ％以上８３ｖ／ｖ％以下の薬液と、を備え、前記ワイパー通過部が、２．５ｃｍ２以上６．０ｃｍ２以下の開口面積を有することを特徴とする。
【００１０】
（３）本発明は、（１）又は（２）の構成において、前記ワイパー通過部が、前記アタッチメント本体の平面視で十字状に形成されることを特徴とする。
【００１１】
（４）本発明は、（１）から（３）のいずれか１つの構成において、前記アタッチメント本体が、７００Ｍｐａ以上１０００Ｍｐａ以下の曲げ弾性率を有することを特徴とする。
【００１２】
（５）本発明は、（１）から（４）のいずれか１つの構成において、前記アタッチメント本体が、１．０ｍｍ以上１．３ｍｍ以下の厚みを有することを特徴とする。
【００１３】
（６）本発明は、（１）から（５）のいずれか１つの構成において、前記アタッチメント本体が、前記ワイパー通過部が前記取り出し口に合わさるように、前記ディスペンサー本体の内面に取り付けられることを特徴とする。
【００１４】
（７）本発明は、（１）から（５）のいずれか１つの構成において、前記アタッチメント本体が、前記ディスペンサー本体の内形に沿った外形を有し、前記積層体に載置されることを特徴とする。
【００１５】
（８）本発明は、ワイパーディスペンサーであって、ポップアップ式に取り出せるように交互に折り畳まれて積層されたウェットワイパーの積層体を収納するディスペンサー本体と、前記ディスペンサー本体の内部に設けられる（１）から（７）のいずれか１つのワイパーディスペンサー用アタッチメントと、を備えることを特徴とする。
【発明の効果】
【００１６】
本発明のワイパーディスペンサー用アタッチメント及びワイパーディスペンサーによれば、ワイパーディスペンサーの取り出し口からウェットワイパーを一枚ずつ分離して取り出すことができる。
【図面の簡単な説明】
【００１７】
【図１】本発明の第１実施形態に係るワイパーディスペンサーの斜視図である。
【図２】図１のＡ−Ａ線断面図である。
【図３】（ａ）は第１実施形態に係るワイパーディスペンサー用アタッチメントの平面図、（ｂ）は（ａ）のＢ−Ｂ線断面図である。
【図４】第１実施形態に係るワイパーディスペンサーの作用図であり、１番目のウェットワイパーを取り出している状態を示す図である。
【図５】第１実施形態に係るワイパーディスペンサーの作用図であり、１番目のウェットワイパーの取り出しが完了した状態を示す図である。
【図６】本発明の第２実施形態に係るワイパーディスペンサーを説明する図であり、図２に対応して描いた図である。
【発明を実施するための形態】
【００１８】
以下、添付図面を参照して、本発明を実施するための形態（以下、実施形態）について詳細に説明する。なお、実施形態の説明の全体を通して同じ要素には同じ番号を付している。
【００１９】
（第１実施形態）
まず、第１実施形態に係るワイパーディスペンサーを図１〜図５に基づいて説明する。
【００２０】
図１に示すように、ワイパーディスペンサー１０は、ウェットワイパー１１を収納可能でかつ取り出し口２１を有するディスペンサー本体２０と、このディスペンサー本体２０の内部に設けられ、ワイパー通過部３１を有するディスペンサー用アタッチメント３０（以下、単に「アタッチメント３０」と称する）と、を備える。
【００２１】
ディスペンサー本体２０は、箱状であり、この例では、一方向に長い直方体状に形成される。ディスペンサー本体２０は、ウェットワイパー１１を収納する収納部２２と、この収納部２２の上端開口２３を開閉可能な第１の蓋体２５とを備える。第１の蓋体２５は、上端開口２３の奥側の縁に第１のヒンジ部２６を介して連結されており、第１のヒンジ部２６を中心に回動可能である。また、第１の蓋体２５は、その中央部に平面形状が長方形状の凹部２７を有しており、取り出し口２１は、この凹部２７の底面に設けられる。取り出し口２１は、第１の蓋体２５の長手方向に沿って長い長円状の貫通穴で形成される。
【００２２】
さらに、第１の蓋体２５の奥側の端部には、凹部２７に嵌合可能な第２の蓋体２５ａが第２のヒンジ部２５ｂを介して連結される。この第２の蓋体２５ａは、第２のヒンジ部２５ｂを中心に回動可能であり、凹部２７に嵌合することで取り出し口２１を閉塞する。一方、取り出し口２１を開放する際は、使用者は、第２の蓋体２５ａの手前側の端部に設けられた凸部２５ｃを摘まんで、第２の蓋体２５ａを上方に回動させることにより、第２の蓋体２５ａを凹部２７から離脱させて取り出し口２１を開放する。
【００２３】
ディスペンサー本体２０は、射出成形などで製造された樹脂成形体であり、繰り返し使用可能な剛性を有する。ディスペンサー本体２０の成形材料には、ポリプロピレンなど各種の合成樹脂を用いることができる。
【００２４】
ウェットワイパー１１は、医療現場、実験室、精密部品工場、食品加工場、給食センター、飲食店などの様々な場所で、機材や備品、容器包装の拭き取りや現場の清掃に使用されるものである。ウェットワイパー１１は、不織布で形成される基材シートと、基材シートに含浸される薬液と、を備える。例えば、基材シート１００枚当たりに、エタノール濃度が約８０％のエタノール水溶液を７００ｍｌ含浸させることにより、要求される衛生性を備えたウェットワイパー１１を得ることができる。また、ウェットワイパー１１は、例えば、食品の製造工程において、ウェットワイパー１１が食品やその包装体などに混入した際、発見し易いように着色剤を含むものでもよい。
【００２５】
基材シートである不織布の種類は格別に限定されるものではなく、例えば、レーヨン繊維、ポリエステル繊維、ポリプロピレン繊維、ポリアミド繊維、ポリエチレン繊維、アクリル繊維、綿、ウール等を積層し、一体化したものがあげられる。一体化する方法としては、ウォータージェットやニードルパンチを用いる方法等、ワイパーとして使用する際に糸屑等が発生しない程度の強度を保持できる方法であれば限定されない。
【００２６】
ウェットワイパー１１を着色する着色剤としては、特に限定されず、一般に繊維・紙の着色に用いられる直接染料、カチオン染料、塩基性染料、酸性染料等の染料、天然色素、食用色素、染料ベース、顔料ベースのインキ等をあげることができる。これらの中でも、染着性及び耐候性の観点からは、直接染料、カチオン染料及び顔料ベースのインキが好ましい。色は、赤・青・黄・等特に限定されず、その配合量は色落ちを起こさない程度であれば適宜適当量決めることができる。
【００２７】
図２に示すように、各ウェットワイパー１１は、ポップアップ式に取り出すことができるように、上下に隣接する他のウェットワイパー１１と噛み合うように、交互に折り畳まれて積層された状態で、収納部２２に収納される。ディスペンサー本体２０においては、多数のウェットワイパー１１が積層された積層体１３の上端側から、アタッチメント３０のワイパー通過部３１及び取り出し口２１を通じて、ウェットワイパー１１が一枚ずつ取り出される。
【００２８】
アタッチメント３０は、取り出し口２１と積層体１３の間に配置されるアタッチメント本体３２と、ウェットワイパー１１が通過可能な切欠き又は貫通穴によってアタッチメント本体３２に形成されるワイパー通過部３１とを有する。アタッチメント本体３２は、断面視において、ワイパー通過部３１が取り出し口２１の下側に重ね合わさるように、第１の蓋体２５の凹部２７の内面に取り付けられる。アタッチメント本体３２は適度な弾性を有しており、ウェットワイパー１１がワイパー通過部３１を通過する際に、ウェットワイパー１１の引上げ力に応じて柔軟に弾性変形可能である。アタッチメント３０を第１の蓋体２５の内面に取り付ける手段は任意であるが、例えば、食品衛生法に適合した固定手段（例えば、両面テープなど）を好適に用いることができる。
【００２９】
図３（ａ）及び（ｂ）に示すように、ワイパー通過部３１は、取り出し口２１の開口面積よりも小さい開口面積を有する。この例では、取り出し口２１の開口面積は、薬液が含浸されない、いわゆるドライワイパー用としてディスペンサー本体２０を使用した場合に、ドライワイパーの取り出しに適した大きさに設定されており、ワイパー通過部３１は、ドライワイパー用として適した取り出し口２１より、開口面積が小さくなるように構成されている。
【００３０】
また、図３（ａ）では、ワイパー通過部３１の好適な形状の一例として、平面視で十字状に形成されたワイパー通過部３１を示している。この例では、ワイパー通過部３１は、取り出し口２１の長手方向に延在する第１の穴３１ａと、第１の穴３１ａと十字をなすように取り出し口２１の短手方向に延在する第２の穴３１ｂとで構成される。
【００３１】
以上、説明した実施形態の作用・効果について述べる。図４に示すように、取り出し口２１から外部に露出した１番目のウェットワイパー１１Ａが把持されて引き上げられると、１番目のウェットワイパー１１Ａに続く２番目のウェットワイパー１１Ｂも一緒に取り出し口２１から引き上げられる。この際、取り出し口２１よりも開口の狭いワイパー通過部３１によって、１番目のウェットワイパー１１Ａの下部及び２番目のウェットワイパー１１Ｂの上部には、引上げ方向とは反対方向に作用する抵抗が生ずる。
【００３２】
これにより、図５に示すように、２番目のウェットワイパー１１Ｂはワイパー通過部３１を通過する際に受ける抵抗によって、取り出し口２１から上部が露出した状態で取り出し口２１側に残る。一方、１番目のウェットワイパー１１Ａは、ワイパー通過部３１からの抵抗を受けつつも、最終的には使用者の引上げ力によって取り出し口２１から完全に引き上げられる。したがって、第１実施形態に係るワイパーディスペンサー１０によれば、基材シートの表面が滑らかで、表面張力によりウェットワイパー１１の表面同士が密着し易い場合であっても、２枚のウェットワイパー１１が繋がることなく、取り出し口２１から、ウェットワイパー１１を一枚ずつ分離して取り出すことができる。
【００３３】
また、ワイパーディスペンサー１０においては、ディスペンサー本体２０とは別部品であるアタッチメント３０にワイパー通過部３１を設けた。
【００３４】
これに対し、ワイパー通過部をディスペンサー本体に一体に形成することも考えられるが、この場合、ウェットワイパー１１の取り出しに適した仕様（例えば、ワイパー通過部の周囲の弾性率や厚み、ワイパー通過部の形状）を得るためには、ディスペンサー本体自体の形状や材質を変える必要が生じる。これでは、ディスペンサー本体の成形金型まで変更することになってしまい、製造コストが高くなる。
【００３５】
この点、ワイパーディスペンサー１０では、ディスペンサー本体２０とは別部品であるアタッチメント３０にワイパー通過部３１を設けたので、ウェットワイパー１１の取り出しに適した仕様を得るために、ディスペンサー本体２０自体の形状や材質を変える必要がない。すなわち、ウェットワイパー１１の取り出しに適したアタッチメント３０を追加するだけで済むため、ディスペンサー本体２０の成形金型を変更する必要がなく、ワイパー通過部をディスペンサー本体に一体に形成する場合に比べ、製造コストを大幅に削減することができる。
【００３６】
また、薬液が含浸されないドライワイパー用として、ワイパーディスペンサー１０を使用する場合は、アタッチメント３０を使用せずにディスペンサー本体２０のみを使用すればよい。このように、ウェットワイパー１１及びドライワイパーのいずれのワイパーを使用する場合においても、同じディスペンサー本体２０を兼用できるため、使い勝手がよく、製品コストを抑えることもできる。
【００３７】
ここで、ワイパー通過部３１の開口面積の好適な大きさについて述べる。アルコール濃度４０ｖ／ｖ％以上８３ｖ／ｖ％以下の薬液が基材シートに含浸される場合、ウェットワイパー１１を、より良好に一枚ずつ分離して取り出すためには、ワイパー通過部３１の開口面積は、２．５ｃｍ２以上６．０ｃｍ２以下の範囲から選択することが好適である。例えば、４．０６ｃｍ２などとすることができる。
【００３８】
前記したアルコール濃度の範囲は、一般的な細菌を殺菌することを目的として流通している消毒用アルコールの平均的な濃度を基準としたものである。例えば、６０ｖ／ｖ％未満のアルコールを浸含させて使用される場合が多い。このような消毒用アルコール等を薬液として浸含させたウェットワイパー１１をワイパーディスペンサー１０を用いて使用した場合、ワイパー通過部３１の開口面積が２．５ｃｍ２を下回ると、シートをワイパーディスペンサー１０から分離することは可能だが、引き出し時の抵抗が大きく、ウェットワイパー１１がワイパー通過部３１に引っ掛かることにより、ディスペンサー本体２０が持ち上がってしまったり、ウェットワイパー１１が破損してしまったりなどの問題が発生する。逆に、ワイパー通過部３１の開口面積が６．０ｃｍ２を上回ると、引き出し時の抵抗があまり発生せず、薬液の浸含により密着したウェットワイパー１１同士が分離しずらくなり、ウェットワイパー１１が繋がって引き出されるなどの問題が発生する。
【００３９】
次に、ワイパー通過部３１の好適な形状について述べる。各ウェットワイパー１１は、ポップアップ式に取り出すことができるように、上下に隣接する他のウェットワイパー１１と噛み合うように、交互に折り畳まれて積層された状態で、収納部２２に収納されるため、ディスペンサー本体２０においては、多数のウェットワイパー１１が積層された積層体１３の上端側から、アタッチメント３０のワイパー通過部３１及び取り出し口２１を通じて、ウェットワイパー１１が一枚ずつ交互に取り出される。よって、ウェットワイパー１１の引出時にワイパー通過部３１にストレスが掛かる部分も短手方向に交互に移動する。そのため、ワイパー通過部３１の最適な形状としては十字状が最適である。すなわち、前述したように、ワイパー通過部３１は、取り出し口２１の長手方向に延在する第１の穴３１ａと、第１の穴３１ａと十字をなすように取り出し口２１の短手方向に延在する第２の穴３１ｂとで構成される。ポップアップでシート１枚を引き出す際、シート中央部は、片方の凹部である第２の穴３１ｂの一方から対向するもう片方の凹部である第２の穴３１ｂの他方に移動する。この時、シート中央部が凹部に入った瞬間にシート・樹脂板間の抵抗が急激に増加するため、手持ちのシートは取出せるが続くシートは樹脂板上に取り残される結果、一枚ずつシートを引き出すことが可能となる。一方、直線状の切込のみでは引出時に狭い空間に過剰にシートが詰まり、シート自体が取出せなくなる。
【００４０】
続いて、アタッチメント本体３２の弾性率については、曲げ弾性率として７００Ｍｐａ以上１０００Ｍｐａ以下（ＰＰ。厚さ１．２ｍｍで仮定）の範囲から選択することが好適である。
【００４１】
アタッチメント本体３２の曲げ弾性率が７００Ｍｐａを下回ると、シート抵抗低下でシートが繋がり、１０００Ｍｐａを上回ると、取出し口２１に掛かるシート抵抗が増加しシートが引っ掛かり、取り出し性が低下する。アタッチメント本体３２の材質としてポリプロピレン（ＰＰ）が最適である。ポリエチレン（ＰＥ）は抵抗が繰り返されることにより変形するため、引出性に影響する。塩化ビニル（ＰＶＣ）は、硬く表面性も悪くシートの引っ掛かりが発生する。
【００４２】
次に、アタッチメント本体３２の厚みｔ（図３（ｂ）参照）については、１．０ｍｍ以上１．３ｍｍ以下の範囲から選択することが好適である。
【００４３】
アタッチメント本体３２の厚みが１．０ｍｍを下回ると、シート抵抗低下でシートが繋がり、１．３ｍｍを上回ると、取出し口２１に掛かるシート抵抗が増加しシートが引っ掛かり、取り出し性が低下する。
【００４４】
（第２実施形態）
次に、第２実施形態に係るワイパーディスペンサーを図６に基づいて説明する。なお、前述したワイパーディスペンサー１０（図２参照）と共通する要素には同じ符号を付して、重複する説明を省略することとする。
【００４５】
前述したワイパーディスペンサー１０（図２参照）においては、比較的に小さいアタッチメント本体３２を第１の蓋体２５の内面に取り付けた構成を例示したが、アタッチメント本体の大きさや配置は、適宜変更可能である。
【００４６】
例えば、図６に示すように、このワイパーディスペンサー４０では、アタッチメント本体５２が、ディスペンサー本体２０の内形に沿った外形（この例では、収納部２２の横断面よりやや小さい長方形）を有する。そして、アタッチメント５０は、ウェットワイパー１１をワイパー通過部３１に通した状態で、落し蓋のように、その自重で積層体１３を押さえ付けるようにして積層体１３の上面に載置されている。
【００４７】
このワイパーディスペンサー４０においても、２番目のウェットワイパー１１Ｂはワイパー通過部３１を通過する際に受ける抵抗によって取り出し口２１側に残り、１番目のウェットワイパー１１のみを分離して取り出すことができる。また、ウェットワイパー１１及びドライワイパーのいずれを使用する場合においても、同じディスペンサー本体２０を兼用することができる。
【００４８】
さらに、アタッチメント５０がその自重で積層体１３を押さえ付けることにより、ウェットワイパー１１の浮き上がりを防止して、２番目のウェットワイパー１１を取り出し口２１側に、より確実に残すことができる。これにより、ウェットワイパー１１を、より円滑に一枚ずつ取り出すことができる。加えて、アタッチメント５０が積層体１３の上面全体を覆うため、積層体１３中の薬液の揮発を抑制することもできる。これにより、ウェットワイパー１１の品質をより長い期間、保持することができる。
【００４９】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またそのような変更又は改良を加えた形態も本発明の技術的範囲に含まれ得ることが、特許請求の範囲の記載から明らかである。
【符号の説明】
【００５０】
１０…ワイパーディスペンサー
１１…ウェットワイパー
１２…基材シート
１３…積層体
２０…ディスペンサー本体
２１…取り出し口
３０…アタッチメント
３１…ワイパー通過部
３２…アタッチメント本体
４０…ワイパーディスペンサー
５０…アタッチメント
５２…アタッチメント本体
ｔ…アタッチメント本体の厚み
【図１】
0006705088.tif 000002
【図２】
0006705088.tif 000003
【図３】
0006705088.tif 000004
【図４】
0006705088.tif 000005
【図５】
0006705088.tif 000006
【図６】
0006705088.tif 000007